(57)【要約】【課題】容器内の水分やガスの吸収能力が高く、外側容器及び内側容器に任意の熱可塑性樹脂を使用でき、密封し易い吸収能力付与容器を提供する。【解決手段】容器本体１１０　にヒンジ１０１　を介して蓋１２０　が開閉するプラスチック製の外側容器１００　の内側に、吸収物質を含有する熱可塑性樹脂からなる上方が開口する内側容器２００　を、外側容器の容器本体に係着して収容した容器であって、外側容器の容器本体の上端部内周面に、係着突起１１４　を設け、蓋の天板１２１　下面に、内側容器の周壁２１１　天面と下端先端を密接するコンタクト封止リング１２２　を垂設し、内側容器の周壁２１１　外周面に、外側容器の周壁１１１　内周面と先端が当接する縦筋状のローレット目２１２　を設け、底板２１３　下面に、外周縁部から中心方向への脚リブ２１４　を周方向に等間隔で放射状に複数本設ける。【選択図】図１
2004136936.tif 000002
【特許請求の範囲】
【請求項１】
容器本体にヒンジを介して蓋が開閉するプラスチック製の外側容器の内側に、吸収物質を含有する熱可塑性樹脂からなる上方が開口する内側容器を、前記外側容器の容器本体に係着して収容した容器であって、前記外側容器の容器本体の上端部内周面に、前記内側容器を係着する係着突起を設け、蓋の天板下面に、前記内側容器の周壁天面と下端先端を密接するコンタクト封止リングを垂設し、前記内側容器の周壁外周面に、前記外側容器の周壁内周面と先端が当接する縦筋状のローレット目を設け、底板下面に、外周縁部から中心方向への脚リブを周方向に等間隔で放射状に複数本設けたことを特徴とする吸収能力付与容器。
【請求項２】
容器本体にヒンジを介して蓋が開閉するプラスチック製の外側容器の内側に、吸収物質を含有する熱可塑性樹脂からなる上方が開口する内側容器を、前記外側容器の容器本体に係着して収容した容器であって、前記外側容器の容器本体の上端部内周面に、前記内側容器を係着する係着突起を設け、蓋の天板下面に、前記内側容器の周壁の上端部内周面と下端外周面を密接するインナー封止リングを垂設し、前記内側容器の周壁外周面に、前記外側容器の周壁内周面と先端が当接する縦筋状のローレット目を設け、底板下面に、外周縁部から中心方向への脚リブを周方向に等間隔で放射状に複数本設けたことを特徴とする吸収能力付与容器。
【請求項３】
容器本体にヒンジを介して蓋が開閉するプラスチック製の外側容器の内側に、吸収物質を含有する熱可塑性樹脂からなる内側容器の上方が開口する容器本体を、前記外側容器の容器本体の内側に係着して収容し、かつ前記内側容器の蓋を、前記外側容器の蓋の天板下面に係着して収容した容器であって、前記外側容器の容器本体の上端部内周面に、前記内側容器を係着する係着突起を設け、前記内側容器の蓋の天板下面に、下端先端を前記内側容器の周壁天面と密接するコンタクト封止リングを垂設し、前記内側容器の周壁外周面に、前記外側容器の周壁内周面と先端が当接する縦筋状のローレット目を設け、底板下面に、外周縁部から中心方向への脚リブを周方向に等間隔で放射状に複数本設けたことを特徴とする吸収能力付与容器。
【請求項４】
容器本体にヒンジを介して蓋が開閉するプラスチック製の外側容器の内側に、吸収物質を含有する熱可塑性樹脂からなる内側容器の上方が開口する容器本体を、前記外側容器の容器本体の内側に係着して収容し、かつ前記内側容器の蓋を、前記外側容器の蓋の天板下面に係着して収容した容器であって、前記外側容器の容器本体の上端部内周面に、前記内側容器を係着する係着突起を設け、前記内側容器の蓋の天板下面に、下端外周面を前記内側容器の周壁の上端部内周面と密接するインナー封止リングを垂設し、前記内側容器の周壁外周面に、前記外側容器の周壁内周面と先端が当接する縦筋状のローレット目を設け、底板下面に、外周縁部から中心方向への脚リブを周方向に等間隔で放射状に複数本設けたことを特徴とする吸収能力付与容器。
【発明の詳細な説明】
【０００１】
【発明の属する技術分野】
本発明は、内容物を保護するために、容器内の水分やガスを吸収する能力をもつプラスチック製の吸収能力付与容器に関するものである。
【０００２】
【従来の技術】
従来、吸収能力付与容器としては、特開平９−１２０６４号公報の乾燥能力を有する容器が知られている。この容器は、容器本体内に乾燥剤含有熱可塑性プラスチックで作られたディスク形状やライナー形状の挿入物を射出成形法により一体に熱融着して形成したものであった。
【０００３】
【発明が解決しようとする課題】
しかしながら、上述の従来の吸収能力付与容器は、容器本体内に乾燥剤含有熱可塑性プラスチックの挿入物が熱融着して一体に接着しているため、挿入物が容器内の水分だけでなく容器外の水分も吸収してしまい吸収能力が低下することがあった。また、容器本体を成形する熱可塑性樹脂と挿入物を成形する乾燥剤含有熱可塑性樹脂とは、相互に熱融着し合う材質のものでなくてはならず、自ずと使用できる熱可塑性樹脂が限定された。また、挿入物の容器内の水分の吸収は、挿入物の容器内面側だけで吸収能力がよくないことがあった。
【０００４】
本発明は、上述の従来の吸収能力付与容器を解決したものであり、容器内の水分やガスの吸収能力が高く、外側容器及び内側容器に使用する熱可塑性樹脂を任意に選べ、密封し易い吸収能力付与容器を提供するものである。
【０００５】
【課題を解決するための手段】
すなわち、本発明の第１の発明は、容器本体にヒンジを介して蓋が開閉するプラスチック製の外側容器の内側に、吸収物質を含有する熱可塑性樹脂からなる上方が開口する内側容器を、前記外側容器の容器本体に係着して収容した容器であって、前記外側容器の容器本体の上端部内周面に、前記内側容器を係着する係着突起を設け、蓋の天板下面に、前記内側容器の周壁天面と下端先端を密接するコンタクト封止リングを垂設し、前記内側容器の周壁外周面に、前記外側容器の周壁内周面と先端が当接する縦筋状のローレット目を設け、底板下面に、外周縁部から中心方向への脚リブを周方向に等間隔で放射状に複数本設けたことを特徴とする吸収能力付与容器である。
【０００６】
次に、本発明の第２の発明は、容器本体にヒンジを介して蓋が開閉するプラスチック製の外側容器の内側に、吸収物質を含有する熱可塑性樹脂からなる上方が開口する内側容器を、前記外側容器の容器本体に係着して収容した容器であって、前記外側容器の容器本体の上端部内周面に、前記内側容器を係着する係着突起を設け、蓋の天板下面に、前記内側容器の周壁の上端部内周面と下端外周面を密接するインナー封止リングを垂設し、前記内側容器の周壁外周面に、前記外側容器の周壁内周面と先端が当接する縦筋状のローレット目を設け、底板下面に、外周縁部から中心方向への脚リブを周方向に等間隔で放射状に複数本設けたことを特徴とする吸収能力付与容器である。
【０００７】
次に、本発明の第３の発明は、容器本体にヒンジを介して蓋が開閉するプラスチック製の外側容器の内側に、吸収物質を含有する熱可塑性樹脂からなる内側容器の上方が開口する容器本体を、前記外側容器の容器本体の内側に係着して収容し、かつ前記内側容器の蓋を、前記外側容器の蓋の天板下面に係着して収容した容器であって、前記外側容器の容器本体の上端部内周面に、前記内側容器を係着する係着突起を設け、前記内側容器の蓋の天板下面に、下端先端を前記内側容器の周壁天面と密接するコンタクト封止リングを垂設し、前記内側容器の周壁外周面に、前記外側容器の周壁内周面と先端が当接する縦筋状のローレット目を設け、底板下面に、外周縁部から中心方向への脚リブを周方向に等間隔で放射状に複数本設けたことを特徴とする吸収能力付与容器である。
【０００８】
そして、本発明の第４の発明は、容器本体にヒンジを介して蓋が開閉するプラスチック製の外側容器の内側に、吸収物質を含有する熱可塑性樹脂からなる内側容器の上方が開口する容器本体を、前記外側容器の容器本体の内側に係着して収容し、かつ前記内側容器の蓋を、前記外側容器の蓋の天板下面に係着して収容した容器であって、前記外側容器の容器本体の上端部内周面に、前記内側容器を係着する係着突起を設け、前記内側容器の蓋の天板下面に、下端外周面を前記内側容器の周壁の上端部内周面と密接するインナー封止リングを垂設し、前記内側容器の周壁外周面に、前記外側容器の周壁内周面と先端が当接する縦筋状のローレット目を設け、底板下面に、外周縁部から中心方向への脚リブを周方向に等間隔で放射状に複数本設けたことを特徴とする吸収能力付与容器である。
【０００９】
【作用】
本発明の吸収能力付与容器は、内側容器の外周面にローレット目を設け、このローレット目の先端を外側容器の内周面に当接させて、外側容器の内側に内側容器を係着して収容したものであり、前述した従来の吸収能力付与容器のように、容器内の水分やガスを内側容器の内面だけで吸収するものとは異なり、内側容器の内面とローレット目を設けた外面とで吸収できるため、吸収する表面積が広く、容器内の水分やガスの吸収能力が高い。
【００１０】
また、本発明の吸収能力付与容器は、外側容器の内側に内側容器を係着して収容したものであり、従来の吸収能力付与容器のように、外側容器の内面と内側容器の外面とを熱融着して一体に作製する必要がないため、外側容器及び内側容器に使用する熱可塑性樹脂には、それぞれ任意の熱可塑性樹脂を使用することができる。
【００１１】
また、本発明の吸収能力付与容器は、外側容器の内側に内側容器を係着して収容したものであり、蓋を閉じるときに、蓋のコンタクト封止リング又はインナー封止リングが、内側容器の周壁の上面又は上端部内周面に圧接すると、内側容器と外側容器とが一体となっている従来の吸収能力付与容器とは異なり、内側容器が下方へ沈むため、蓋閉じに伴うエア圧縮による容器内の内部圧力の増加が緩和され、密封し易くなる。
【００１２】
【発明の実施の形態】
次に、本発明の吸収能力付与容器の実施の形態について、図を用いて詳細に説明する。
図１は、実施形態１の吸収能力付与容器の断面図であり、図２は、実施形態２の吸収能力付与容器の断面図であり、図３は、実施形態３の吸収能力付与容器の断面図であり、図４は、実施形態４の吸収能力付与容器の断面図である。図５（ａ）は、上記の実施形態の吸収能力付与容器の内側容器の容器本体の平面図であり、図５（ｂ）は、その底面図である。
【００１３】
本発明の実施形態１の吸収能力付与容器（１０）の構造は、図１に示すように、カップ状の容器本体（１１０）にヒンジ（１０１）を介して蓋（１２０）が開閉する外側容器（１００）の内側に、上方が開口するカップ状の内側容器（２００）を、外側容器（１００）の容器本体（１１０）に係着して収容する容器であり、外側容器は、ポリプロピレンなどの比較的に剛性をもつ熱可塑性樹脂を用いて射出成形法により作製し、内側容器は、水分吸収剤、酸素吸収剤、炭酸ガス吸収剤、エチレンガス吸収剤など吸収物質を含有する熱可塑性樹脂を用いて射出成形法により作製するものである。
【００１４】
外側容器（１００）は、図１に示すように、容器本体（１１０）の上方にヒンジ（１０１）を介して開閉する蓋（１２０）が連設するものである。容器本体（１１０）は、円筒状の周壁（１１１）の上面に、上端外周面に咬合リング（１１６）をもつ蓋嵌着筒（１１５）を立設し、上端外周面にフランジ（１１３）を設け、上端部内周面に係着突起（１１４）を周方向に等間隔で部分的に複数個例えば４個又は連続させてリング状に設け、周壁（１１１）下端内側に底板（１１２）を設けるものであり、蓋（１２０）は、天板（１２１）と周壁（１２４）とかなり、天板の下面に、内側容器（２００）の周壁（２１１）天面と下端先端を密接するコンタクト封止リング（１２２）を垂設し、周壁（１２４）の内周面に容器本体との咬合リング（１２５）を設け、ヒンジ（１０１）と対向する外周面に開閉つまみ（１２６）を突設するものである。
【００１５】
内側容器（２００）は、図１に示すように、円筒状の周壁（２１１）の下端内側に底板（２１３）を設けるものであり、周壁（２１１）の上端の外径を外側容器の容器本体（１１０）の係着突起（１１４）の内径より大きくして係合するようにし、周壁（２１１）天面の高さを外側容器の蓋（１２０）のコンタクト封止リング（１２２）の下端先端が密接する高さにし、周壁（２１１）外周面に外側容器（１００）の周壁（１１１）内周面と先端が当接する図５（ａ）及び（ｂ）に示す縦筋状のローレット目（２１２）を設けるものである。また、円板状の底板（２１３）下面には、図５（ｂ）に示すように、外周縁部から中心方向への脚リブ（２１４）を周方向に等間隔で放射状に複数本例えば４本設けるものである。
【００１６】
次に、本発明の実施形態２の吸収能力付与容器（１０）の構造は、図２に示すように、実施形態１と同様にカップ状の容器本体（１１０）にヒンジ（１０１）を介して蓋（１２０）が開閉する外側容器（１００）の内側に、上方が開口するカップ状の内側容器（２００）を、外側容器の容器本体に係着して収容する容器である。
【００１７】
そして、外側容器（１００）の容器本体（１１０）は、図２に示すように、円筒状の周壁（１１１）の上面に、上端外周面に咬合リング（１１６）をもつ蓋嵌着筒（１１５）を立設し、上端外周面にフランジ（１１３）を設け、上端部内周面に係着突起（１１４）を周方向に等間隔で４個又は連続させて設け、周壁下端内側に底板（１１２）を設けるものであり、蓋（１２０）は、天板（１２１）と周壁（１２４）とかなり、天板の下面に、内側容器（２００）の周壁（２１１）の上端部内周面と下端外周面を密接するインナー封止リング（１２３）を垂設し、周壁（１２４）の内周面に容器本体との咬合リング（１２５）を設け、ヒンジ（１０１）と対向する外周面に開閉つまみ（１２６）を突設するものであり、内側容器については、実施形態１と同様である。
【００１８】
次に、本発明の実施形態３の吸収能力付与容器（１０）の構造は、図３に示すように、カップ状の容器本体（１１０）にヒンジ（１０１）を介して蓋（１２０）が開閉する外側容器（１００）の内側に、上方が開口するカップ状の内側容器（２００）の容器本体（２１０）を、外側容器（１００）の容器本体（１１０）の内側に係着して収容し、また、内側容器（２００）の蓋（２２０）を、外側容器（１００）の蓋（１２０）の天板（１２１）下面に係着して収容する容器である。
【００１９】
そして、外側容器の容器本体（１１０）は、図３に示すように、円筒状の周壁（１１１）の上面に、上端外周面に咬合リング（１１６）をもつ蓋嵌着筒（１１５）を立設し、上端外周面にフランジ（１１３）を設け、上端部内周面に係着突起（１１４）を周方向に等間隔で４個又は連続させて設け、周壁下端内側に底板（１１２）を設けるものであり、蓋（１２０）は、天板（１２１）と周壁（１２４）とかなり、天板の下面に、内側容器（２００）の蓋（２２０）が係着する下端内周面に係着突起をもつ係着部（１２７）を垂設し、周壁（１２４）の内周面に容器本体（１１０）との咬合リング（１２５）を設け、ヒンジ（１０１）と対向する外周面に開閉つまみ（１２６）を突設するものである。
【００２０】
また、内側容器（２００）については、図３に示すように、容器本体（２１０）は実施形態１と同様であるが、蓋（２２０）は、円板状の天板（２２１）の下面に、下端先端を内側容器の周壁（２１１）天面と密接するコンタクト封止リング（２２２）を垂設するものである。なお、内側容器（２００）の蓋（２２０）は、外側容器（１００）の蓋（１２０）の天板（１２１）下面に垂設する係着部（１２７）の係着突起に、天板（２２１）外周を係合させて係着するものである。
【００２１】
次に、本発明の実施形態４の吸収能力付与容器の構造は、図４に示すように、実施形態３と同様にカップ状の容器本体（１１０）にヒンジ（１０１）を介して蓋（１２０）が開閉する外側容器（１００）の内側に、上方が開口するカップ状の内側容器（２００）の容器本体（２１０）を、外側容器（１００）の容器本体（１１０）の内側に係着して収容し、また、内側容器（２００）の蓋（２２０）を、外側容器（１００）の蓋（１２０）の天板（１２１）下面に係着して収容する容器である。
【００２２】
そして、内側容器（２００）の蓋（２２０）は、図４に示すように、円板状の天板（２２１）の下面に、下端外周面を内側容器（２００）の容器本体（２１０）の周壁（２１１）の上端部内周面と密接するインナー封止リング（２２３）を垂設するものである。なお、外側容器の容器本体及び蓋、内側容器の容器本体については、実施形態３と同様である。
【００２３】
【発明の効果】
本発明の吸収能力付与容器は、外側容器の内側に吸収能力をもつ内側容器を係着して収容したものであり、また、内側容器の外周面にはローレット目が形成されており、吸収面積が広く、吸収能力が高い容器である。
【００２４】
また、本発明の吸収能力付与容器は、外側容器の内面と内側容器の外面とを熱融着させる必要がないので、外側容器と内側容器に任意の熱可塑性樹脂を使用することができる。
【００２５】
また、本発明の吸収能力付与容器は、外側容器と内側容器とが一体でなく、蓋閉じに伴う容器内の内部圧力の増加が緩和され、密封し易い容器である。
【００２６】
また、本発明の吸収能力付与容器は、内側容器の熱可塑性樹脂に添加する添加剤を変えることにより、容器内の水分、酸素、炭酸ガス、エチレンガスなどを吸収でき、内容物の保護性が良好な容器である。
【図面の簡単な説明】
【図１】本発明の実施形態１の吸収能力付与容器の断面図である。
【図２】本発明の実施形態２の吸収能力付与容器の断面図である。
【図３】本発明の実施形態３の吸収能力付与容器の断面図である。
【図４】本発明の実施形態４の吸収能力付与容器の断面図である。
【図５】（ａ）は、内側容器の平面図であり、（ｂ）は、底面図である。
【符号の説明】
１０……吸収能力付与容器
１００……外側容器
１０１……ヒンジ
１１０，２１０……容器本体
１１１，１２４，２１１……周壁
１１２，２１３……底板
１１３……フランジ
１１４……係着突部
１１５……蓋嵌着筒
１１６，１２５……咬合リング
１２０，２２０……蓋
１２１，２２１……天板
１２２，２２２……コンタクト封止リング
１２３，２２３……インナー封止リング
１２６……開閉つまみ
１２７……係着部
２００……内側容器
２１２……ローレット目
２１４……脚リブ
【図１】
2004136936.tif 000003
【図２】
2004136936.tif 000004
【図３】
2004136936.tif 000005
【図４】
2004136936.tif 000006
【図５】
2004136936.tif 000007